(57)【要約】【課題】コンクリート打設後の仕上げを必要とすることなく、そのまま外装材として用いることができ、上下方向に隣り合うパネル同士の接続部分から雨水の侵入を防止し、かつノロの浸み出しをも防止できる型枠パネルの接続構造を提供する。【解決手段】本発明の型枠パネル１，１の接続構造は、裏面材３と外装材２とからなる型枠パネル１を接続部材４を介して上下方向に隣接させて一体化させる接続構造にあって、外装材２は、裏面側に型枠としての間隔保持部材を構成する締着部材の端部７が収納可能で、長手方向に連続する収納空間２４を有し、この外装材２の裏面側の上端及び下端から収納空間２４に挿入部２５を形成し、この挿入部２５に接続部材４を配し、上方へ延在する起立部４１が、上段側パネル１oの外装材２裏面に位置すると共に、パネル１o，１u同士の対向部分から表面側且つ下方へ延在する被覆部４２〜４４が延在していることを特徴とする。【選択図】図１
2015155605.tif 000002
【特許請求の範囲】
【請求項１】
裏面材と外装材とからなる型枠パネルを接続部材を介して上下方向に隣接させて一体化させる接続構造にあって、
前記外装材は、裏面側に型枠としての間隔保持部材を構成する締着部材の端部が収納可能であって、長さ方向に連続する収納空間を有し、
この外装材の上端及び下端から収納空間に挿入部を形成し、該挿入部に接続部材を配し、上方へ延在する起立部が、上段側パネルの外装材裏面に位置すると共に、パネル同士の対向部分から表面側且つ下方へ延在する被覆部が延在していることを特徴とする型枠パネルの接続構造。
【請求項２】
接続部材の被覆部を、下段側パネルの挿入部に位置させることを特徴とする請求項１に記載の型枠パネルの接続構造。
【請求項３】
外装材の収納空間は、裏面材の凹部に配置されることを特徴とする請求項１又は２に記載の型枠パネルの接続構造。
【請求項４】
外装材の収納空間は、外装材の裏面側に突出状に形成されることを特徴とする請求項１〜３の何れか一項に記載の型枠パネルの接続構造。
【発明の詳細な説明】
【技術分野】
【０００１】
本発明は、コンクリート打設後の仕上げを必要とすることなく、そのまま外装材として用いることができ、上下方向に隣り合うパネル同士の接続部分から雨水の侵入を防止し、かつノロの浸み出しをも防止できる型枠パネルの接続構造に関する。
【背景技術】
【０００２】
従来、コンクリート構造物を構築するにあたり、外装材や下地材（断熱材）を型枠として用いる兼用型枠が提案され、その多くは、断熱材を型枠として用い、コンクリート硬化後に断熱材表面に仕上げ処理（化粧材の貼付、外装材の敷設）を行っている。
【０００３】
特許文献１には、断熱材６に複合補強材７を一体化した構成の兼用断熱材パネルＡを用いてコンクリートを打設する方法が開示されている。
しかし、この特許文献１では、型枠締め付け用金具であるフォームタイ（登録商標）３・セパレータ５等が断熱材６、補強材７を貫通し、補強材７の表面（外側）まで突出しているため、貫通孔からノロ（セメント水）が漏れるという問題があった。また、このノロは、強アルカリであって補強材７の外面を汚損するため、硬化後にノロを拭き取ったり、補強材７の外面を仕上げ材（内装ボード１１）で覆う必要があった。さらに、補強材７で兼用型枠を押さえるため、作業を兼用断熱材パネルＡの外側から行う必要があり、足場を組むスペースが必要となり、狭小地（隣家との間に十分なスペースが無い等）での構築は難しかった。また、硬化後の化粧仕上げも、狭小地の場合、作業が困難になるという問題もあった。
【０００４】
また、特許文献２は、断熱材２に、仕上げ材となるタイル３が一体化されたセメント系硬質材４を接合した建築物外断熱壁が開示されている。
しかし、この特許文献２では、図示されるように、アンカー部材５のボルトやナット、セパレータの端部などが仕上げ材３の表面に表れるため、意匠的に好ましくなかった。それを解消するためには、前記特許文献１と同様の処理が必要であった。
【０００５】
そこで、本願出願人らは、特許文献３〜５として、接続部分からのノロの流出を防ぐことができる型枠兼用パネルを提案した。
これらの型枠兼用パネルは、縦方向に長い断熱材に外装仕上げ材を沿わせた構成であって、両端の連結部のうち、一方には被重合片を、他方には重合片を設け、隣接する重合片を被重合片に重合させた状態で、棒状部材を断熱材の裏面側から面板部の内側に設けた定着部の螺子部に螺合させて連結するできる。そのため、隣接する型枠兼用パネルを容易に連結することができ、しかもパネル同士の連結部分（定着部）からのノロの漏れ出しをも防止でき、外装仕上げ材を拭き取りする必要が無く、そのまま外装材として用いることができる。
また、面板部の裏面側に空間部を設け、該空間部内に螺子部を有する定着材を取り付けて定着部を形成し、コンクリートの打設空間から棒状部材を伝ってノロが定着部に浸入しても、この空間部にて、面板部の表面への漏れ出しが防止される。
【先行技術文献】
【特許文献】
【０００６】
【特許文献１】特公平７−６２４４号公報
【特許文献２】特開平１１−３１５６０１号公報
【特許文献３】特開２０１３−１３３６５６号公報
【特許文献４】特開２０１３−１９２４３号公報
【特許文献５】特開２０１３−２２０４号公報
【発明の開示】
【発明が解決しようとする課題】
【０００７】
前述のように、前記特許文献１，２に記載される型枠パネルは、コンクリートの打設後に面倒な処理や仕上げ作業を必要とするものであって、そのまま外装材や内装材等として用いることができないものであった。
また、その接続部分、断面材の突き合わせ部分から、ノロが漏れ出し、前述のように硬化後にノロを拭き取ったり、表層材の外面を仕上げ材で覆う必要があることは、容易に想定されるものであった。
【０００８】
前記特許文献３〜５に記載される型枠兼用パネルでは、左右方向の接続部分やセパレータ等を伝わって染み出るノロを、外装材表面に流出させることなく空間部内で下方へ流下できるが、上下方向における接続については言及されていない。
なお、上下方向に隣接するパネルの接続に際しては、一般的に水切り（接続部材）を配することで外装材表面を流れる雨水が下段の外装材裏面に流入しない方法が採られることが多い。この水切りは、略横Ｚ字状に成形され、一方の端部をパネル内（断熱材内）、他方の端部を下段の外装材表面に位置させることにより、外装材表面を流れ落ちる雨水を、接続部分で下段の外装材裏面に流入することが防がれている。
しかし、前記特許文献３〜５のような型枠兼用パネルにあっては、このような水切りを採用しても、収納空間のノロが水切りによって外装材表面に流れ出て、水切りより下段の外装材表面にノロが付着し、拭き取り作業を行う必要があった。
【０００９】
そこで、本発明は、コンクリート打設後の仕上げを必要とすることなく、そのまま外装材として用いることができ、上下方向に隣り合うパネル同士の接続部分から雨水の侵入を防止し、かつノロの浸み出しをも防止できる型枠パネルの接続構造を提案することを目的とする。
【課題を解決するための手段】
【００１０】
本発明は、上記に鑑み提案されたもので、裏面材と外装材とからなる型枠パネルを接続部材を介して上下方向に隣接させて一体化させる接続構造にあって、前記外装材は、裏面側に型枠としての間隔保持部材を構成する締着部材の端部が収納可能で、長手方向に連続する収納空間を有し、この外装材の上端及び下端から収納空間に挿入部を形成し、該挿入部に接続部材を配し、上方へ延在する起立部が、上段側のパネルの外装材裏面に位置すると共に、パネル同士の対向部分から表面側且つ下方へ延在する被覆部が延在していることを特徴とする型枠パネルの接続構造に関するものである。
【００１１】
また、本発明は、前記の接続構造において、接続部材の被覆部を、下段側のパネルの挿入部に位置させることを特徴とする型枠パネルの接続構造をも提案する。
【００１２】
また、本発明は、前記の接続構造において、外装材の収納空間は、裏面材の凹部に配置されることを特徴とする型枠パネルの接続構造をも提案する。
【００１３】
また、本発明は、前記の接続構造において、外装材の収納空間は、外装材の裏面側に突出状に形成されることを特徴とする型枠パネルの接続構造をも提案する。
【発明の効果】
【００１４】
本発明の型枠パネルの接続構造は、型枠パネルを接続部材を介して上下方向に隣接させて一体化させたものであって、外装面を流下する雨水は、接続部材の存在により下側パネルの外装材の裏面側へ浸入することがない。また、外装材の裏面側や収納空間に至ったノロ（セメント水）は、接続部材の存在により外装材の表面に染み出ることがなく、下段側パネルの収納空間に確実に導くことができる。
したがって、本発明の型枠パネルの接続構造では、コンクリート打設後の仕上げを必要とすることなく、そのまま外装材として用いることができる。即ち外装材の表面にノロが付着することがないので、ノロを拭き取る等の後処理を必要としない。
【００１５】
また、接続部材の被覆部を、下段側パネルの挿入部に位置させる場合には、収納空間内を流下するノロを確実に下段の収納空間内に導くことができる。
【００１６】
また、外装材の収納空間が、裏面材の凹部に配置される場合には、収納空間を形成する筺状部分が変形等を生ずることなく凹部内に保護され、ノロが横方向等に流れることなく下方へ流下させることができる。
【００１７】
また、外装材の収納空間が、外装材の裏面側に突出状に形成される場合、外装材の表面側が見かけ上、略平坦になるため、意匠性に優れたものとなる。
【図面の簡単な説明】
【００１８】
【図１】（ａ）本発明の一実施例（第１実施例）に用いる接続部材、及び連結材を示す斜視図、（ｂ）上方には、その第１実施例にて接続される型枠パネル（上段側パネル）を示す斜視図を示し、下方には、その第１実施例にて接続される型枠パネル（下段側パネル）に接続部材及び連結材を取り付けた状態を示す斜視図、（ｃ）比較のため示した従来の型枠兼用パネルの側面図である。
【図２】（ａ）第１実施例において、外装材の収納空間を形成する筺状部分に端面から上方に向かって、或いは下方に向かって一定幅で挿入部を形成した態様を示す側断面図、（ｂ）形成した挿入部に接続部材を配置して型枠パネルを接続した状態を示す側断面図である。
【図３】（ａ）外装材裏面に沿って収納空間を形成する壁部にスリット状に挿入部を形成した態様（第２実施例）を示す側断面図、（ｂ）形成した挿入部に接続部材を配置して型枠パネルを接続した状態を示す側断面図である。
【図４】接続部材をジョイント部材で連結した構成とし、外装材に一定幅で挿入部を形成し、裏面材に端縁から上方に向かって先細り状の挿着溝、下方に向かって一定幅の挿着溝を形成した態様（第３実施例）で、形成した挿入部（挿着溝）に接続部材を配置して型枠パネルを接続した状態を示す側断面図である。
【図５】接続部材をジョイント部材で連結した構成とし、外装材に一定幅で挿入部を形成し、上下の裏面材に端縁から先細り状の挿着溝を形成した態様（第４実施例）で、形成した挿入部（挿着溝）に接続部材を配置して型枠パネルを接続した状態を示す側断面図である。
【図６】（ａ）第１実施例に用いた収納空間を有する外装材を示す平面図、（ｂ）その上面図、（ｃ）その左側面図、（ｄ）それを上方から見た上面図、（ｅ）その右側面図、（ｆ）それを上方から見た上面図、（ｇ）もう一方の外装材と組み合わせた状態を示す上面図である。
【図７】（ａ）第１実施例に用いた収納空間を有しない外装材を示す平面図、（ｂ）その上面図、（ｃ）その左側面図、（ｄ）それを上方から見た上面図、（ｅ）その右側面図、（ｆ）それを上方から見た上面図、（ｇ）もう一方の外装材と組み合わせた状態を示す上面図である。
【発明を実施するための形態】
【００１９】
本発明の型枠パネルの接続構造は、裏面材と外装材とからなる型枠パネルを接続部材を介して上下方向に隣接させて一体化させる接続構造にあって、前記外装材は、裏面側に型枠としての間隔保持部材を構成する締着部材の端部が収納可能で、長手方向に連続する収納空間を有し、この外装材の裏面側の上端及び下端から収納空間に挿入部を形成し、該挿入部に接続部材を配し、上方へ延在する起立部が、上段側のパネル（以下、上側パネルという）の外装材裏面に位置すると共に、パネル同士の対向部分から表面側且つ下方へ延在する被覆部が延在していることを特徴とする。
なお、締着部材は、ボルトの頭部であってもナットであってもよく、パネルに間隔保持部材を挿入させる仕様でも、パネルから間隔保持部材が立設する仕様でもよい。
【００２０】
本発明に用いる型枠パネルは、後述する挿入部や接続部材を除いて、前記特許文献３〜５に記載される型枠兼用パネルとほぼ同様の構成を有する。即ち外装材については、前記特許文献３〜５に記載される型枠兼用パネルにおける外装材と同様に、裏面側に型枠としての締着部材の端部が収納可能で、長手方向に連続する収納空間を有する構成である。例えば一枚の裏面材に対し、それぞれ二枚ずつの二種の外装材（合計４枚）をその表面に添設（接着）して一体化した構成は、後述する図示実施例（第１実施例）でも採用した。
また、この型枠パネル同士の一体化とは、係合であっても重合であってもよい。即ち外装材同士は、係合又は嵌合又は重合によって接続可能であることが望ましく、裏面材同士は、重合によって接続できることが望ましい。
なお、前記収納空間は、側方又は裏面側が開放する略コ状に形成してもよいし、略ロ状（囲み状）に形成してもよく、これらを総じて筺状とする。
この収容空間は、裏面材の凹部に配置されることが好ましい。この凹部は、敷設した状態で凹状となるものでも予め凹状に形成するものであってもよい。この裏面材の凹部及び収納空間は、上下に連続するため、ノロが横方向等に流れることなく下方へ流下する。
【００２１】
そして、前記特許文献３〜５における型枠兼用パネルと相違する本発明の型枠パネルの構成としては、外装材の裏面側の上端及び下端から収納空間に挿入部を形成する構成である。
前記挿入部は、端面から上方に向かって、或いは下方に向かって形成したものであっても、裏面材と外装材との境界に形成したものでもよい。即ち後述する図２に示すように収納空間を形成する筺状部分の下端、上端から一定幅で形成したものでも、先細り状の凹部に形成したものでも、或いは図３に示すように外装材裏面に沿って収納空間を構成する壁部にスリット状に形成するものでもよい。スリット状に形成する場合、斜め状にスリットにすることで差し込みを容易にするものであってもよい。特に上段側のパネルの下側に設けることで有用となる。
【００２２】
本発明に用いる接続部材は、前述のように上側パネルの挿入部に位置させる起立部と、パネル同士の対向部分から表面側且つ下方へ延在する被覆部とを有している。この接続部材は、外装面を流下する雨水が下段側パネル（以下、下側パネルという）の外装材の裏面側への侵入を防ぐ作用を果たし、さらには外装材の裏面側や収納空間に至ったノロが外装材の表面に染み出ないための部材である。
【００２３】
前記被覆部は、下側のパネルの外装材の表面側に位置する表面側垂下部と、外装材の裏面側に沿う裏面側垂下部とからなる。より厳密には、後述する図示実施例にて示すように上側パネルと下側パネルとの対向間隔に挟まれる被挟持部がこの被覆部に含まれる。そのため、この接続部材は、下側パネルの上端に跨るように配設することができ、安定に取り付けることができる。
【００２４】
前記表面側垂下部は、下側パネルの外装材の表面側に添設されればよく、その添設長さは問わない。また、前記裏面側垂下部は、下側パネルの挿入部内に位置すればよく、その挿入長さは問わない。要するにこれらの被覆部は、前述のように下側パネルの上端に跨るように（被覆するように）安定に配設することができる長さであればよい。
【００２５】
本発明の型枠パネルの接続構造は、前記構成の型枠パネルを前記構成の接続部材を介して上下方向に隣接させて一体化させたものであって、外装面を流下する雨水は、この接続部材の存在により下側パネルの外装材の裏面側へ浸入することがない。即ち外装面を流下する雨水は、起立部接続部材の裏面側に浸入することがない。
また、外装材の裏面側や収納空間に至ったノロは、この接続部材の存在により外装材の表面に染み出ることがなく下側パネルの収納空間に導くことができる。したがって、コンクリート打設後の仕上げを必要とすることなく、そのまま外装材として用いることができる。
【００２６】
本発明における接続部材は、後述する図示実施例（図１及び図２に記載の第１実施例や図３に記載の第２実施例）のように長さ方向に連続するものが好ましい。但し、少なくとも起立部及び表面側垂下部が連続するものであれば、外装面を流下する雨水は、この接続部材の存在により、下側パネルの外装材の裏面側への浸入を防止する効果は果たされる。したがって、接続部材は、後述する図示実施例（図４に記載の第３実施例及び図５に記載の第４実施例）のように、雨水の侵入を防ぐために複数の接続部材をジョイント部材（ピース）で連結した構成でもよい。
【実施例１】
【００２７】
本発明は、コンクリート打設における型枠として使用でき、使用後もそのまま外装材として用いることができる型枠パネル１に関し、図１（ａ），（ｂ）に示すように断熱材である裏面材３と外装材２とからなる型枠パネル１，１を、接続部材４を介して上下方向に隣接させて一体化させたものである。なお、図中に符号５にて示す帯状材は、裏面材３の端面に形成された嵌入溝３２に嵌め込まれる連結材である。また、上段側に配するパネルを上側パネル１o、下段側に配するパネルを下側パネル１uとして区別する。共通する構成の説明には、型枠パネル１とする。
【００２８】
前記型枠パネル１を構成する外装材２は、裏面側に型枠としての間隔保持部材（図示せず）を構成する締着部材（ナット７）の端部（頭部）が収納可能で、長手方向に連続する収納空間２４を有する構成であって、後述する挿入部２５や接続部材４の構成を除いて、図１（ｃ）に示すような前記特許文献３〜５に記載される型枠兼用パネル１０に用いた外装材２０とほぼ同様の構成を有する。なお、この型枠兼用パネル１０における符号３０は、断熱材であり、本発明では裏面材３に相当する。
【００２９】
即ち一体の裏面材３の表面にそれぞれ二枚ずつの外装材２Ｉ，２IIが合計４枚添設（接着）されて一体化されてなり、裏面材３の表面側の略中央に凹部３１が形成され、該凹部３１に外装材２の収納空間２４が配置される。また、外装材２Ｉ，２IIは、仕上げ面となる面板部２１の端部及び略中央に略Ｔ字状に表面側へ突出する突条２１１が設けられ、対向する端縁に接続部が設けられるアルミの押出型材であって、それぞれ端縁２２ａ〜２２ｄが接続されているが、図１（ｂ），（ｃ）及び図６，７のみに符号を付し、それ以外の図２〜５では、合計４枚の外装材２Ｉ，２IIを１枚の外装材２として示している。
【００３０】
図１（ｃ）に示す型枠兼用パネル１０において、符号３０１は、図示しない間隔保持部材が挿通する貫通孔であり、収納空間２４に至っている。この構成は、図１（ｂ）の型枠パネル１o，１uに記載されてはいないが、共通する構成である。
また、この収納空間２４は、面板部２１から延在する部分と、裏面側へ突出するように形成された略Ｌ字状片とで囲まれる略コ字状（筺状）の空間を指し、締着部材（ナット７）の端部（頭部）が収納される。
【００３１】
本発明における型枠パネル１では、この外装材２の上端及び下端から収納空間２４に挿入部２５，２５を形成しているが、この第１実施例の外装材２における挿入部２５は、図２（ａ）に示すように収納空間２４を形成する筺状部分の下端、上端から一定幅で形成した削除部分である。
なお、この外装材２の裏面側には、断熱材が裏面材３として配されているが、図示実施例の挿入部２５の裏面側には裏面材３の表面側端部を切り欠いて形成した段部３３が形成されているので、この段部３３と外装材２との間に挿着溝３４が形成され、該挿着溝３４に接続部材４の起立部４１や裏面側垂下部４３が配置される構成となっている。
【００３２】
前記接続部材４は、図１（ａ），（ｂ）に示すように上側パネル１oの挿入部２５に位置させる起立部４１と、パネル１o，１u同士の対向部分から表面側且つ下方へ延在する被覆部４２〜４４とを有している。この被覆部４２〜４４は、下側パネル１uの外装材２の表面側に位置する表面側垂下部４４と、外装材２の裏面側に沿う裏面側垂下部４３と、上側パネル１oと下側パネル１uとの対向間隔に挟まれる被挟持部４２とからなり、略ｈ字状に成形されている部材である。この被挟持部４２の幅寸法、及び表面側垂下部４４と裏面側垂下部４３の対向間隔の寸法は、外装材２の厚みに応じて設定され、下側パネル１uの外装材２の上端に取り付けた状態で弾性が働く寸法に形成することが望ましい。
【００３３】
この接続部材４は、外装面を流下する雨水が下側パネル１uの外装材２の裏面側への侵入を防ぐ作用を果たし、さらには外装材２の裏面側や収納空間２４に至ったノロが外装材２の表面に染み出ないための部材であり、この第１実施例の接続部材４は、図１（ａ），（ｂ）に示すように長さ方向に連続する部材として成形したものである。
上述の作用を、図２（ｂ）を用いて説明すると、上側パネル１oの外装材２の表面を流下する雨水は、接続部材４の被挟持部４２に至り、仮に裏面側に浸入しようとしても起立部４１の存在により裏面側への浸入が防止される。そのため、表面側垂下部４４に案内されて下側パネル１uの外装材の表面を流下する。一方、ノロは、裏面材３側から表面側へ染み出ようして挿着溝３４に浸入できるが、接続部材４の起立部４１及び裏面側垂下部４３の存在により、外装材２の表面に染み出しが防止される。そのため、外装材２の表面にノロが付着することがないので、ノロを拭き取る等の後処理を必要とせず、そのまま外装材として用いることができる。
【００３４】
なお、符号６ａは、起立部４１と被挟持部４２との間の隅部に配される止水材である。この止水材６ａは、表面側から浸入しようとする雨水の浸入を阻止する作用を果たす。この止水材６ａとしては、上下の外装材２，２間を水密状に止水するために弾性を有する材料を用いることが好ましい。
また、符号６ｂは、被挟持部４２と裏面側垂下部４３との隅部を含んで下側パネル１uの外装材２の端面を覆うように配した止水材である。この止水材６ｂは、ノロが万が一裏面側垂下部４３を伝って上方へ回り込んだとしても、表面側への染み出しを阻止する作用を果たす。この止水材６ｂとしても、前記止水材６ａと同様に下方の外装材２と被挟持部４２との間を水密状に止水するために弾性を有する材料を用いることが好ましい。
また、符号４５は、表面側垂下部４４の下端に設けられた当接部であり、外装材２の表面と表面側垂下部との摩擦（擦れ）を防止する作用を果たす。
【００３５】
挿入部の異なる態様としては、図３（ａ）に示す第２実施例のように外装材２の裏面に沿って収納空間２４を形成する壁部にスリット状に挿入部２５'を形成してもよい。この態様の挿入部２５'を形成した場合には、前記図２（ａ）の態様（第１実施例）のように裏面材３に段部３３を設けて挿着溝３４を形成する必要が無く、安定に接続部材４の起立部４１や裏面側垂下部４３をこの挿入部２５'に配置することができる。
なお、裏面材３の挿着溝３４は、複数の凹部に導通しているため、この挿着溝３４内にノロが浸入することがあり得るが、この挿着溝３４を形成しないこの第２実施例はノロの回り込み（導通）が生じないという利点がある。
【００３６】
図４に示す第３実施例及び図５に示す第４実施例は、挿入部２５を収納空間２４を形成する筺状部分の下端、上端から一定幅で形成した削除部分とした点では、前記第１実施例と同様である。
第３実施例では、下側パネル１uの裏面材３に一定幅の挿着溝３４を、上側パネル１oの裏面材３に先細り状の挿着溝３５を形成し、上下に対向している。
第４実施例では、上下のパネル１u，１oの裏面材３にそれぞれ先細り状の挿着溝３５を形成している。
【００３７】
そして、これらの第３実施例及び第４実施例では、接続部材として、複数の接続部材４Ｘをジョイント部材（ピース）４Ｙで連結した構成のものを用いた。
この接続部材における接続部材４Ｘは、断面構成については、前記第１、第２実施例における接続部材４と殆ど共通するので、符号にｘを付記して説明を省略する、
一方、ジョイント部材（ピース）４Ｙは、接続部材４Ｘの起立片４１ｘにその裏面側から沿わせる起立部４１ｙと、接続部材４Ｘの被挟持片４２ｘに下方側から沿わせる被挟持部４２ｙと、接続部材４Ｘの表面側垂下部４４ｘにその裏面側から沿わせる表面側垂下部４４ｙとからなる。
また、前記起立部４１ｙの上端には、先端を折り返した取付係合部４１１が形成され、接続部材４Ｘに対して引っ掛け状に容易に取り付けることができる。
さらに、前記表面垂下部４４ｙの下端にも、先端を折り返した当接部４５ｙが形成され、接続部分での位置規制（ズレ止め）する作用を果たす。
【００３８】
この構成の接続部材（４Ｘ＋４Ｙ）でも、起立部４１ｙ、被挟持部４２ｙ、及び表面側垂下部４４ｙが長さ方向に連続するので、外装面を流下する雨水が下側パネル１uの外装材２の裏面側への侵入を防ぐ作用が果たされる。
【００３９】
図６には、前記第１実施例における外装材２を構成する端部に収納空間２４を有する外装材２Ｉを示す。
また、図７には、収納空間２４を有しない外装材２IIを示す。
これらの外装材２Ｉ，２IIは、前述のようにその端縁２２ａ〜２２ｄが接続部であり、外装材２Ｉの端縁に接続部２２ａ，２２ｂが形成され、外装材２IIの端縁に接続部２２ｃ、２２ｄが形成され、外装材２Ｉの接続部２２ｂが外装材２IIの接続部２２ｃと接続し、外装材２IIの接続部２２ｄが外装材２Ｉの接続部２２ａと接続する状態で、一枚の裏面材３の表面に外装材２Ｉ−外装材２II−外装材２Ｉ−外装材２IIの順で添設（接着）されている。
【符号の説明】
【００４０】
１，１o，１u  型枠パネル
２，２Ｉ，２II  外装材
２１  面板部
２２ａ〜２２ｄ  接続部
２４  収納空間
２５，２５'  挿入部
３  裏面材
３１  凹部
３２  挿入溝
３３  段部
３４，３５  挿着溝
４，４Ｘ  接続部材
４１  起立部
４１１  取付係合部
４２  被挟持部
４３  裏面側垂下部
４４  表面側垂下部
４５  当接部
４Ｙ  ジョイント部材（ピース）
５  連結材
６ａ，６ｂ  止水材
７  ナット（締着部材）
【図１】
2015155605.tif 000003
【図２】
2015155605.tif 000004
【図３】
2015155605.tif 000005
【図４】
2015155605.tif 000006
【図５】
2015155605.tif 000007
【図６】
2015155605.tif 000008
【図７】
2015155605.tif 000009